(57)【要約】【課題】静電チャックまたは該静電チャックに吸着されたウェハの温度分布の位置、角度を調整することにより、複数の測定結果間を容易に比較することができる。【解決手段】静電チャックまたは該静電チャックに吸着されたウェハを測定対象とした温度計測装置が計測した温度分布を画像として取得する画像認識部と、該画像から測定対象の形状を示す情報を取得する形状認識部と、形状認識部が取得した情報を用いて、該画像における測定対象のサイズ、位置、角度のうち、少なくとも一つを調整する画像処理部とを具備することを特徴とする。【選択図】図１
2014153770.tif 000002
【特許請求の範囲】
【請求項１】
静電チャックまたは該静電チャックに吸着されたウェハを測定対象とした温度分布を計測する温度計測装置が計測した温度分布を画像として取得する画像認識部と、
前記画像から前記測定対象の形状を示す情報を取得する形状認識部と、
前記形状認識部が取得した前記情報を用いて、前記画像における前記測定対象のサイズ、位置、角度のうち少なくとも一つを調整する画像処理部と
を具備することを特徴とする画像処理装置。
【請求項２】
前記画像処理装置は、さらに、前記形状認識部で得られた情報を用いて、前記調整結果から不要部分を除去することを特徴とする請求項１に記載の画像処理装置。
【請求項３】
前記温度分布を計測する手法として、サーモグラフィー、もしくは熱電対アレイを用いることを特徴とする請求項１に記載の画像処理装置。
【請求項４】
前記形状認識部は、前記画像における隣接する画素との温度差を用いたエッジ検出手法を用いて形状を示す情報を取得することを特徴とする請求項１に記載の画像処理装置。
【請求項５】
前記形状認識部は、前記測定対象の形状を示す情報として、前記静電チャックの形状を特徴づける構造を検出することを特徴とする請求項１に記載の画像処理装置。
【請求項６】
前記静電チャックの形状を特徴づける構造は、複数のピン穴であることを特徴とする請求項５に記載の画像処理装置。
【請求項７】
前記画像処理部は、前記画像における前記測定対象のサイズ、角度または位置のうち、少なくとも一つが所定のものになるように、前記画像を調整することを特徴とする請求項１に記載の画像処理装置。
【請求項８】
前記形状認識部は、前記エッジ検出手法を用いて、前記画像が表す温度分布における前記測定対象の外周円を検出し、該外周円を用いて、前記静電チャックの形状を特徴づける構造を検出することを特徴とする請求項５に記載の画像処理装置。
【請求項９】
静電チャックまたは該静電チャックに吸着されたウェハを測定対象とした温度分布を計測する温度計測装置が計測した温度分布を画像として取得する第１の過程と、
前記画像から前記測定対象の形状を示す情報を取得する第２の過程と、
前記第２の過程にて取得した前記情報を用いて、前記画像における前記測定対象のサイズ、位置、角度のうち少なくとも一つを調整する前記第２の過程にて取得した前記情報を用いて、前記画像における前記測定対象のサイズ、位置、角度のうち、少なくとも一つを調整する第３の過程と
を有することを特徴とする画像処理方法。
【請求項１０】
コンピュータを、
静電チャックまたは該静電チャックに吸着されたウェハを測定対象とした温度分布を計測する温度計測装置が計測した温度分布を画像として取得する画像認識部、
前記画像から前記測定対象の形状を示す情報を取得する形状認識部、
前記形状認識部が取得した前記情報を用いて、前記画像における前記測定対象のサイズ、位置、角度のうち、少なくとも一つを調整する画像処理部
として機能させるためのプログラム。
【発明の詳細な説明】
【技術分野】
【０００１】
本発明は、画像処理装置、画像処理方法およびプログラムに関する。
【背景技術】
【０００２】
従来、静電チャックに吸着された基板（ウェハ）の温度分布を取得する方法として、熱電対をマトリクス上に均等に配置する熱電対アレイを、基板に載せて、各熱電対の温度を測定する方法がある（例えば、特許文献１）。
また、一般に物体表面の温度分布を測定する方法として、物体から放射される赤外線量を測定するサーモグラフィーもある。
【先行技術文献】
【特許文献】
【０００３】
【特許文献１】特開２０００−９５４６号公報
【発明の概要】
【発明が解決しようとする課題】
【０００４】
しかしながら、特許文献１に記載の方法やサーモグラフィーによる測定方法においては、ウェハなどの測定対象と、熱電対あるいはサーモグラフィーとの位置関係を、測定機会間で厳密に一致させるのが困難である。このため、例えば、ある測定結果におけるある点の、別の測定結果における温度が分からないなど、ある測定機会の測定結果と、別の測定機会の測定結果とを比較するのが困難であるという問題がある。
【０００５】
本発明は、このような事情に鑑みてなされたもので、静電チャックまたは該静電チャックに吸着されたウェハの温度分布の測定結果同士を容易に比較することができる画像処理装置、画像処理方法およびプログラムを提供する。
【課題を解決するための手段】
【０００６】
（１）この発明は上述した課題を解決するためになされたもので、本発明の一態様は、静電チャックまたは該静電チャックに吸着されたウェハを測定対象とした温度分布を計測する温度計測装置が計測した温度分布を画像として取得する画像認識部と、前記画像から前記測定対象の形状を示す情報を取得する形状認識部と、前記形状認識部が取得した前記情報を用いて、前記画像における前記測定対象のサイズ、位置、角度のうち少なくとも一つを調整する画像処理部とを具備する事を特徴とする画像処理装置である。
【０００７】
（２）また、本発明の他の態様は、（１）に記載の画像処理装置であって、前記画像処理装置は、さらに、前記形状認識部で得られた情報を用いて、前記調整結果から不要部分を除去することを特徴とする画像処理装置である。
【０００８】
（３）また、本発明の他の態様は、（１）または（２）に記載の画像処理装置であって、前記温度分布を計測する手法として、サーモグラフィー、もしくは熱電対アレイを用いることを特徴とする画像処理装置である。
【０００９】
（４）また、本発明の他の態様は、（１）から（３）のいずれかに記載の画像処理装置であって、前記形状認識部は、前記画像における隣接する画素との温度差を用いたエッジ検出手法を用いて形状を示す情報を取得することを特徴とする画像処理装置である。
【００１０】
（５）また、本発明の他の態様は、（１）から（４）のいずれかに記載の画像処理装置であって、前記形状認識部は、前記測定対象の形状を示す情報として、前記静電チャックの形状を特徴づける構造を検出することを特徴とする画像処理装置である。
【００１１】
（６）また、本発明の他の態様は、（５）に記載の画像処理装置であって、前記静電チャックの形状を特徴づける構造は、複数のピン穴であることを特徴とする画像処理装置である。
【００１２】
（７）また、本発明の他の態様は、（１）から（６）のいずれかに記載の画像処理装置であって、前記画像処理部は、前記画像における前記測定対象のサイズ、角度または位置のうち、少なくとも一つが所定のものになるように、前記画像を調整することを特徴とする画像処理装置である。
【００１３】
（８）また、本発明の他の態様は、（５）に記載の画像処理装置であって、前記形状認識部は、前記エッジ検出手法を用いて、前記画像が表す温度分布における前記測定対象の外周円を検出し、該外周円を用いて、前記静電チャックの形状を特徴づける構造を検出することを特徴とする。
【００１４】
（９）また、本発明の他の態様は、静電チャックまたは該静電チャックに吸着されたウェハを測定対象とした温度分布を計測する温度計測装置が計測した温度分布を画像として取得する第１の過程と、前記画像から前記測定対象の形状を示す情報を取得する第２の過程と、前記第２の過程にて取得した前記情報を用いて、前記画像における前記測定対象のサイズ、位置、角度のうち少なくとも一つを調整する前記第２の過程にて取得した前記情報を用いて、前記画像における前記測定対象のサイズ、位置、角度のうち、少なくとも一つを調整する第３の過程とを有することを特徴とする画像処理方法である。
【００１５】
（１０）また、本発明の他の態様は、コンピュータを、静電チャックまたは該静電チャックに吸着されたウェハを測定対象とした温度分布を計測する温度計測装置が計測した温度分布を画像として取得する画像認識部、前記画像から前記測定対象の形状を示す情報を取得する形状認識部、前記形状認識部が取得した前記情報を用いて、前記画像における前記測定対象のサイズ、位置、角度のうち、少なくとも一つを調整する画像処理部として機能させるためのプログラムである。
【発明の効果】
【００１６】
この発明によれば、静電チャックまたは該静電チャックに吸着されたウェハの温度分布の測定結果同士を容易に比較することができる。
【図面の簡単な説明】
【００１７】
【図１】この発明の一実施形態による温度分布測定システム１００の構成を示す概略ブロック図である。
【図２】同実施形態における温度計測装置３０が測定した画像の例を示す図である。
【図３】同実施形態における画像処理装置４０の構成を示す概略ブロック図である。
【図４】同実施形態におけるエッジ検出部４２が検出したエッジを表すエッジ画像の例を示す図である。
【図５】同実施形態における外周円検出部４３の動作を説明するフローチャートである。
【図６】同実施形態におけるピン穴検出部４４の動作を説明するフローチャートである。
【図７】同実施形態におけるサイズ位置調整部４５の動作を説明するフローチャートである。
【図８】同実施形態におけるサイズ位置調整部４５が変換した画像データが表す画像の例を示す図である。
【図９】同実施形態における不要部削除部４６が生成した画像データが表す画像の例を示す図である。
【図１０】同実施形態における対象温度領域抽出部４８が生成した画像データが表す画像の例を示す図である。
【図１１】同実施形態におけるサイズ位置調整部４５の処理結果の温度範囲の例を示すグラフである。
【図１２】サーモグラフィー画像における温度の頻度分布例を示すグラフである。
【図１３】同実施形態におけるサイズ位置調整部４５の処理結果の頻度分布を示すグラフである。
【発明を実施するための形態】
【００１８】
以下、図面を参照して、本発明の実施の形態について説明する。図１は、この発明の一実施形態による温度分布測定システム１００の構成を示す概略ブロック図である。本実施形態における温度分布測定システム１００は、静電チャック１０に吸着されたウェハ２０を測定対象とし、その表面温度の分布を測定する。静電チャック１０は、静電気の引力を利用してウェハ２０を、吸着する。また、本実施形態における静電チャック１０は、ヒータを内蔵しており、吸着したウェハ２０を加熱する。温度分布測定システム１００は、ウェハ２０に対する温度計測装置３０の相対的な位置に多少の違いがあっても、出力の温度分布画像におけるウェハ２０の大きさ、角度および位置が、所定の大きさ、角度および位置となるように、温度分布画像を変換する。
【００１９】
温度分布測定システム１００は、温度計測装置３０、画像処理装置４０、出力装置５０を含んで構成される。ここで、温度計測装置３０は、測定対象であるウェハ２０の表面温度分布を測定し、測定した温度を画素として認識させた画像データを生成する。画像処理装置４０は、温度計測装置３０から、温度計測装置３０が生成した画像データを取得する。画像処理装置４０は、出力の温度分布画像におけるウェハ２０の大きさおよび位置が、所定の大きさおよび位置となるように、取得した画像データを変換して、出力の温度分布画像の画像データを生成する。なお、画像処理装置４０は、画像データを画像信号にして出力するようにしてもよいし、テキストデータとして出力するようにしてもよい。出力装置５０は、画像処理装置４０が生成した画像データが表す温度分布画像を表示する。
【００２０】
図２は、温度計測装置３０が測定した温度分布画像の例を示す図である。尚、当該実施形態においては、温度計測装置３０としてサーモグラフィーを使用し、温度分布画像としてサーモグラフィー画像を得る。なお、温度計測装置３０として、熱電対アレイを用いるようにしてもよい。図２のサーモグラフィー画像Ｇ１では、温度が高い領域ほど、明るく、白に近い色となっている。サーモグラフィー画像Ｇ１の大部分を占める円形の温度が高い領域Ｗ１は、ウェハ２０に対応している領域である。また、図２では、ウェハ２０に対応する領域Ｗ１内に３つある黒い線Ｔ１、Ｔ２、Ｔ３は、温度計測装置３０による測定と同時に、特定のポイントの温度を測定するために設置された熱電対の線である。また、黒い丸Ｈ１、Ｈ２、Ｈ３は、吸着されたウェハ２０を静電チャック１０から取り外す際に用いられるリフトピンを通すために、静電チャック１０に開けられたピン穴に対応する領域である。このピン穴に対応する領域は、静電チャック１０から加熱されないため、温度が低くなっており、黒い丸として、サーモグラフィー画像に現れる。３つのピン穴は、静電チャック１０の中心から等距離にあり、これらを結ぶと正三角形となる。
【００２１】
図３は、画像処理装置４０の構成を示す概略ブロック図である。画像処理装置４０は、画像認識機構４０１、形状認識機構４０２、画像処理機構４０３、および出力部４９によって構成されている。画像認識機構４０１は画像データ取得部４１で構成されている。形状認識機構４０２は、エッジ検出部４２、外周円検出部４３、ピン穴検出部４４で構成されている。画像処理機構４０３はサイズ位置調整部４５、不要部削除部４６、不要部記憶部４７、対象温度領域抽出部４８で構成されている。画像データ取得部４１は、温度計測装置３０から、温度分布の画像データを取得する。エッジ検出部４２は、画像データ取得部４１が取得した画像データに対して、エッジ検出を行い、エッジ検出結果を表すエッジ画像データを生成する。外周円検出部４３は、エッジ画像データが表すエッジのうち、ウェハ２０の外周円に対応する部分を判定し、温度分布画像における、該外周円の中心位置と半径とを算出する。
【００２２】
ピン穴検出部４４は、エッジ画像データが表すエッジのうち、３つのピン穴各々に対応する部分を判定し、温度分布画像中の３つのピン穴各々の位置を算出する。ピン穴検出部４４は、３つのピン穴各々に対応する部分を判定する際に、外周円検出部４３が算出した外周円の中心位置と半径とを参照して、ピン穴に対応する部分を探索する領域（以降、ピン穴候補領域という）を算出する。そして、ピン穴検出部４４は、エッジ画像データが表すエッジのうち、該ピン穴候補領域内にあるものを、ピン穴に対応する部分とし、その重心位置をピン穴の位置とする。
【００２３】
サイズ位置調整部４５は、ピン穴検出部４４が検出した３つピン穴の位置を通る円の半径と中心位置とを算出する。サイズ位置調整部４５は、該円の中心位置が所定の位置となり、該円の半径が所定の大きさとなり、該円の中心位置と３つのピン穴のうちの一つとを通る直線が、鉛直方向（ｙ軸の負の方向）に対して所定の角度となる変換を、画像データ取得部４１が取得した画像データに対して行う。なお、本実施形態において、座標は、画像の左上端を原点とし、ｘ軸は右方向を正とし、ｙ軸は下方向を正とする。
【００２４】
なお、このサイズ位置調整部４５は、変換の対象をウェハ２０の温度分布に相当する画像データのみとしてもよい。すなわち、ウェハ２０のよりも外側に相当する部分の画像データについては変換しなくてもよい。また、図４のエッジ画像Ｇ１ｅに示したエッジＴ１ｅ、Ｔ２ｅ、Ｔ３ｅが示す熱電対の線の領域や、エッジＨ１ｅ、Ｈ２ｅ、Ｈ３ｅが示すピン穴の領域など、サーモグラフィー画像に映りこんでいるウェハ２０ではないものの部分を、エッジ画像に基づき判定し、該部分の画像データを変換しないようにしもよい。
【００２５】
不要部削除部４６は、サイズ位置調整部４５によって変換された画像データから、不要部記憶部４７が記憶している不要部情報が示す領域のデータを削除する。なお、ここで、データの削除とは、削除対象の領域に属する画素の画素値を所定の値（例えば空欄(null値)）に置き換えることである。不要部記憶部４７は、削除対象の領域、すなわち温度分布を取得したい領域以外の領域を示す不要部情報を予め記憶し、形状認識機構で得られたデータに応じてその範囲を選定する。例えば、エッジ検出部４２で得られたエッジ分布において、その閾値を含めその外側、もしくは内側を除去するなどの手法を用いる。不要部情報が示す領域としては、例えば、上述したピン穴とその周辺、静電チャックの最外周より外側の範囲など、温度分布に偏りが生じてしまうことが、静電チャック１０の構造上やむを得ない領域が挙げられる。
【００２６】
対象温度領域抽出部４８は、サイズ位置調整部４５によって変換された画像データのうち、予め設定された温度範囲外のデータを、所定の値（例えば空欄(null値)）に置き換える。出力部４９は、不要部削除部４６による処理結果の画像データ、対象温度領域抽出部４８による処理結果の画像データ、およびサイズ位置調整部４５による処理結果の画像データの中から、ユーザの操作入力などにより指定された画像データを出力する。この出力された画像データは、出力装置５０に入力される。
【００２７】
図４は、エッジ検出部４２が検出したエッジを表すエッジ画像の例を示す図である。図４のエッジ画像Ｇ１ｅは、図２のサーモグラフィー画像Ｇ１に対して、エッジ検出部４２が処理を行った場合の例である。エッジ画像Ｇ１ｅでは、ウェハ２０の外縁部がエッジＷ１ｅとして、３つの熱電対がエッジＴ１ｅ、Ｔ２ｅ、Ｔ３ｅとして、３つのピン穴がエッジＨ１ｅ、Ｈ２ｅ、Ｈ３ｅとして検出されている。
【００２８】
図５は、外周円検出部４３の動作を説明するフローチャートである。外周円検出部４３は、予め決められた複数の半径候補各々（Ｓａ１、Ｓａ５）と、複数の中心候補各々（Ｓａ２、Ｓａ４）とについて、ステップＳａ３の処理を行う。ステップＳａ３では、外周円検出部４３は、選択された半径候補、中心候補の円周上にあるピクセルのうち、エッジ検出部４２が検出したエッジと一致する数をカウントする。半径候補と中心候補との全ての組み合わせについて、ステップＳａ３の処理を行った後、外周円検出部４３は、ステップＳａ３におけるカウント数が最大となったときの半径候補と中心候補とを、外周円の半径および中心として検出する。
【００２９】
図６は、ピン穴検出部４４の動作を説明するフローチャートである。ピン穴検出部４４は、外周円検出部４３が外周円の半径と中心とを検出すると、該半径と中心の座標とを用いて、各ピン穴候補領域を算出する（Ｓｂ１）。ステップＳｂ１におけるピン穴候補領域の算出方法の一形態について説明する。ピン穴検出部４４は、外周円が特定の半径、中心であるときの、３つのピン穴各々のピン穴候補領域（以下、既定ピン穴候補領域という）を表す情報と、該特定の半径および中心の座標とを予め記憶している。既定ピン穴候補領域は、ピン穴を含む所定の大きさの領域であればよいが、ここではピン穴を含む矩形領域である場合を説明する。
【００３０】
ピン穴検出部４４は、これらの既定ピン穴候補領域を表す情報を、外周円検出部４３が検出した外周円の半径と中心とを用いて、該外周円のときの領域に変換することで、ピン穴候補領域を算出する。ここでは、特定の半径が半径ｒｐであり、特定の中心の座標が（０，０）であり、既定ピン穴候補領域のうちの一つが座標（ｘａ、ｙａ）と座標（ｘｂ、ｙｂ）とを結ぶ線分を対角線とする矩形領域であるとする。
【００３１】
外周円検出部４３が検出した外周円の半径が半径ｒであり、中心の座標が座標（ｘ、ｙ）であるとすると、ピン穴検出部４４は、以下の各式により算出した座標（Ｘａ、Ｙａ）と座標（Ｘｂ、Ｙｂ）とを結ぶ線分を対角線とする矩形領域を、上述の既定ピン穴候補領域のうちの一つに対応するピン穴候補領域とする。
Ｘａ＝ｘａ×ｒ／ｒｐ＋ｘ
Ｙａ＝ｙａ×ｒ／ｒｐ＋ｙ
Ｘｂ＝ｘｂ×ｒ／ｒｐ＋ｘ
Ｙｂ＝ｙｂ×ｒ／ｒｐ＋ｙ
【００３２】
次に、ピン穴検出部４４は、ステップＳｂ１にて算出した３つのピン穴候補領域各々において、ピン穴中心の位置を算出し（Ｓｂ２）、処理を終了する。ピン穴算出方法の例として、エッジ検出手法を用いて、ある閾値以上の範囲の中心部をピン穴中心部と認識するなどの方法がある。
【００３３】
図７は、サイズ位置調整部４５の動作を説明するフローチャートである。サイズ位置調整部４５は、まず、ピン穴検出部４が検出した３つのピン穴を通る円を算出する（Ｓｃ１）。次に、サイズ位置調整部４５は、ステップＳｃ１にて算出した円の中心とピン穴とを結ぶ線と、ｙ軸の負の方向との角度を算出する（Ｓｃ２）。なお、ここでは、角度を算出するピン穴は、調整後の位置がｙ軸上となるピン穴、すなわちｙ座標値が最も小さいピン穴とする。サイズ位置調整部４５は、ピン穴が所定の位置になるように、画像データ取得部４１が取得した画像データを調整し（Ｓｃ３）、処理を終了する。
【００３４】
なお、このステップＳｃ３の変換は、ステップＳｃ１にて算出した円の中心に応じた並行移動と、半径に応じた拡大／縮小と、ステップＳｃ２にて算出した角度に応じた回転である。上述の並行移動は、算出した円の中心を画像の中心まで移動させる並行移動である。また、上述の拡大／縮小は、算出した円の半径ｒｃを所定の大きさＲｃにさせる、算出した円の中心を中心としたＲｃ／ｒｃ倍の拡大である。また、上述の回転は、角度を算出したピン穴がｙ軸上に来るようにする、算出した円の中心周りの、算出した角度の逆回転である。
【００３５】
図８は、サイズ位置調整部４５が調整した画像データが表す画像の例を示す図である。図８において、画像Ｇ１ｔが、サイズ位置調整部４５が変換した画像データが表す画像の例であり、ウェハ２０に該当する領域Ｗ１ｔについてのみ温度分布がプロットされている。また、熱電対の線に対応する領域Ｔ１ｔ、Ｔ２ｔ、Ｔ３ｔおよび、ピン穴に対応する領域Ｈ１ｔ、Ｈ２ｔ、Ｈ３ｔについては、温度分布がプロットされていない。また、３つのピン穴に対応する領域Ｈ１ｔ、Ｈ２ｔ、Ｈ３ｔの各重心を通る円Ｃｒの半径は、所定の大きさＲｃとなっており、中心Ｃｔが、画像Ｇ１ｔの中心と一致している。これにより、ウェハ２０に該当する領域Ｗ１ｔについても、その中心は、画像Ｇ１ｔの中心と一致しており、その半径は、特定の大きさとなっている。
【００３６】
図９は、不要部削除部４６が生成した画像データが表す画像の例を示す図である。図９において、画像Ｇ２ｔは、不要部情報が示す領域のデータを不要部削除部４６が削除した画像データが表す画像の例である。図８の画像Ｇ１ｔと比較すると、ピン穴とその周辺や、ヒータ電極とその周辺の領域については、温度分布がプロットされていないことがわかる。なお、サイズ位置調整部４５により、画像Ｇ２ｔは、ウェハ２０に対応する領域が所定の大きさ、所定の位置に変換されているので、不要部情報は、該所定の大きさおよび所定の位置にあわせておけばよく、測定機会の度に変更する必要がない。
【００３７】
図１０は、対象温度領域抽出部４８が生成した画像データが表す画像の例を示す図である。画像Ｇ３ｔは、対象温度領域抽出部４８が生成した画像データが表す画像の例である。画像Ｇ３ｔにおいて、黒く塗りつぶされた部分は、予め設定された温度範囲、もしくはエッジ検出部４２の処理結果において閾値以上の範囲より外の領域である。
【００３８】
図１１は、サイズ位置調整部４５による調整結果の温度範囲の例を示すグラフである。図１１において、横軸は隣接する測定点との温度の差を示し、縦軸は該差に収まっている面積の百分率である。サーモグラフィー３０が生成したサーモグラフィー画像では、ウェハ２０と温度計測装置３０との距離が変わってしまうと、測定点間の距離が変わってしまう。すなわち、温度計測装置３０が生成した温度分布画像の間では、測定点間の距離が異なる。このため、温度計測装置３０が生成したサーモグラフィー画像の間で、隣接する測定点との温度差を比較することはできない。
【００３９】
しかし、本実施形態では、温度分布画像におけるピン穴の位置を検出し、該位置を用いて、ウェハ２０の大きさが所定にものになるように、サイズ位置調整部４５は、温度分布画像を調整している。そのため、サイズ位置調整部４５の調整結果では、測定点間の距離が常に一定となっており、図１１に示すようなグラフの間で比較をすることができる。
【００４０】
図１２は、温度分布画像における温度の頻度分布例を示すグラフである。図１２のグラフは、横軸が温度であり、縦軸が面積（画素数）である。図１２は、温度計測装置３０が生成した温度分布画像（図２の画像Ｇ１）の頻度分布であるため、ウェハ２０以外にも温度分布画像Ｇ１に写りこんでいる熱電対の線の領域Ｔ１、Ｔ２、Ｔ３や、ピン穴の領域Ｈ１、Ｈ２、Ｈ３、ウェハ２０の外側の領域など、余計な領域も含んだ頻度分布となっている。
【００４１】
図１３は、サイズ位置調整部４５の処理結果の頻度分布を示すグラフである。図１３のグラフは、横軸が温度であり、縦軸が面積（画素数）である。図１３は、サイズ位置調整部４５が生成した画像（図８の画像Ｇ１ｔ）の頻度分布であるため、ウェハ２０以外の熱電対の線の領域Ｔ１、Ｔ２、Ｔ３、ウェハ２０の外側の領域、ピン穴の領域Ｈ１、Ｈ２、Ｈ３など、余計な領域が含まれていない。そのため、図１２では、低温側（２０℃付近）にあった山が、図１３にはない。
【００４２】
このように、本実施形態では、エッジ検出部４２によるエッジ検出結果を用いて、静電チャックのピン穴の位置を検出し、該検出したピン穴の位置を用いて、温度分布画像におけるウェハ２０の大きさ、角度および位置が所定のものになるように、温度分布画像を調整するので、測定結果同士を容易に比較することができる。
なお、比較する内容によっては、例えば、大きさが所定のものになるようになど、大きさ、角度および位置のうち、いずれかが所定のものになるに調整するようにしてもよい。
【００４３】
また、温度分布画像を調整する際に、温度分布画像のエッジ検出結果から検出すると、実際よりも大きくなってしまうことが多いウェハ２０の外形（外周）ではなく、ピン穴の位置を用いているので、調整における誤差を小さくすることができる。
【００４４】
なお、図１では、温度分布測定システム１００が、静電チャック１０に吸着されたウェハ２０の表面温度の分布を測定している場合を示しているが、静電チャック１０の表面温度分布を測定してもよい。静電チャック１０の表面温度分布を測定するときは、静電チャック１０にウェハ２０が吸着されていない状態で測定する。なお、静電チャック１０は、吸着しているウェハ２０の温度を能動的に制御するために、加熱装置や、冷却装置のいずれかを備えるものであってもよいし、これらのいずれも備えないものであってもよい。
【００４５】
また、本実施形態では、３つのピン穴が中心から等距離にある場合を説明したが、これに限られない。例えば、２つのピン穴が中心から等距離にあってもよいし、４つ以上のピン穴が中心から等距離にあってもよいし、複数のピン穴が、それぞれ中心から異なる距離にあってもよい。例えば、２つのピン穴が中心から等距離にある場合は、２つのピン穴を結ぶ線分の長さと、傾きと、該線分の中点の位置とが所定のものとなるように、調整すればよい。
【００４６】
また、本実施形態として、形状を求める手法として外周、およびピン穴をマーカとして用いたが、それに限らず形状を決める構造、もしくは測定時にマーキングを施すなどの手法を用いて形状を認識させても良い。例えば、静電チャック１０を装置に設置する際に使用するボルトをマーカとしたり、マーキング用に装置に発熱体を設置させたり、もしくはウェハ上温度分布に影響を及ぼさないよう、ヒーターパターンにマーキング用の温度差発生機構を設けたりして、形状を認識させれば良い。
【００４７】
また、図１における画像処理装置４０の機能を実現するためのプログラムをコンピュータ読み取り可能な記録媒体に記録して、この記録媒体に記録されたプログラムをコンピュータシステムに読み込ませ、実行することにより画像処理装置４０を実現してもよい。なお、ここでいう「コンピュータシステム」とは、ＯＳや周辺機器等のハードウェアを含むものとする。
【００４８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００４９】
以上、この発明の実施形態を図面を参照して詳述してきたが、具体的な構成はこの実施形態に限られるものではなく、この発明の要旨を逸脱しない範囲の設計変更等も含まれる。
【符号の説明】
【００５０】
１０…静電チャック
２０…ウェハ
３０…サーモグラフィー
４０…画像処理装置
４１…画像データ取得部
４２…エッジ検出部
４３…外周円検出部
４４…ピン穴検出部
４５…サイズ位置調整部
４６…不要部削除部
４７…不要部記憶部
４８…対象温度領域抽出部
４９…出力部
５０…出力装置
１００…温度分布測定システム
４０１…画像認識機構
４０２…形状認識機構
４０３…画像処理機構
【図１】
2014153770.tif 000003
【図３】
2014153770.tif 000004
【図５】
2014153770.tif 000005
【図６】
2014153770.tif 000006
【図７】
2014153770.tif 000007
【図１１】
2014153770.tif 000008
【図１２】
2014153770.tif 000009
【図１３】
2014153770.tif 000010
【図２】
2014153770.tif 000011
【図４】
2014153770.tif 000012
【図８】
2014153770.tif 000013
【図９】
2014153770.tif 000014
【図１０】
2014153770.tif 000015